(57)【要約】【課題】端末の使用状態に応じてＧＵＩの構成を変更することにより、消費電力を抑制するとともに、ユーザの使い勝手を向上させた表示端末装置を提供する。【解決手段】表示端末装置は、ＧＵＩを表示する表示部と、前記表示部に表示するＧＵＩ情報を格納するＧＵＩ情報格納部と、ＧＵＩ情報を変換するＧＵＩ情報変換部と、電力モードを管理する電力モード管理部とを備え、ＧＵＩ情報変換部は、前記電力モード管理部が保持する電力モードが省電力モードであるか否かに応じて、前記ＧＵＩ情報を変換してＧＵＩを表示する。【選択図】図１
2012049586.tif 000002
【特許請求の範囲】
【請求項１】
ＧＵＩを表示する表示端末装置であって、
前記表示端末装置の操作用ＧＵＩを変更する変更部と、
前記表示端末装置の電力モードを設定する設定部と、を備え、
前記設定部は、第１の電力で駆動する通常モードとこの第１の電力よりも小さい第２の電力で駆動する省電力モードのうち一方のモードを設定し、
前記変更部は、前記設定部が設定する電力モードに応じて、前記操作用ＧＵＩを変更する表示端末装置。
【請求項２】
前記表示装置はさらに、使用者からタッチ操作を受け付けるとともに前記操作用ＧＵＩを表示するタッチパネル部と、を備え、
前記タッチパネル部は、前記設定部が省電力モードを設定している場合、当該タッチパネルの少なくとも一部の領域を、使用者からタッチ操作が受け付けることができない領域とし、
前記変更部は、前記タッチパネル部の一部の領域内に、操作用ＧＵＩに含まれるタッチ操作が可能なオブジェクトが配置されないように操作用ＧＵＩを変更する請求項１に記載の表示端末装置。
【請求項３】
前記変更部は、前記タッチパネル部の一部の領域内に、操作用ＧＵＩに含まれるタッチ操作が可能なオブジェクト以外のオブジェクトが変更前に比べて多く配置されるように操作用ＧＵＩを変更する請求項２に記載の表示端末装置。
【請求項４】
前記変更部は、変更前に前記タッチパネル部の一部の領域外に配置されるオブジェクトを拡大し、少なくとも当該タッチパネル部の一部の領域を用いて拡大後のオブジェクトを配置するよう操作用ＧＵＩを変更する請求項２に記載の表示端末装置。
【請求項５】
前記変換部は、拡大したオブジェクト内に属する文字および画像のうち少なくとも一方をオブジェクトの拡大に合わせて拡大する請求項４に記載の表示端末装置。
【請求項６】
前記変換部は、拡大したオブジェクト内に属する文字および画像のうち少なくとも一方の数をオブジェクトの拡大に合わせて増大させる請求項４に記載の表示端末装置。
【請求項７】
前記表示端末装置は、
クレイドルへの接続を検出する検出部を備え、
前記設定部は、前記クレイドルの接続を検出した場合、省電力モードを設定する請求項１から請求項６に記載の表示端末装置。
【請求項８】
前記表示端末装置は、
クレイドルへの接続を検出する検出部を備え、
前記設定部は、前記クレイドルの接続を検出した場合、省電力モードを設定し、
前記タッチパネル部は、前記クレイドルとの接続の結果、当該タッチパネル部の全領域のうち使用者から視認不可能な領域を使用者からタッチ操作が受け付けることができない領域とする請求項２に記載の表示端末装置。
【請求項９】
前記設定部は、前記タッチパネル部へのタッチ操作が所定の時間なされなかったこともって、省電力モードへと移行する請求項８に記載の表示端末装置。
【発明の詳細な説明】
【技術分野】
【０００１】
本発明は、ＧＵＩ（Ｇｒａｐｈｉｃａｌ  Ｕｓｅｒ  Ｉｎｔｅｒｆａｃｅ）を備えた表示端末装置に関する。
【背景技術】
【０００２】
近年、携帯電話に代表されるような携帯型端末の普及とともに、コンテンツの利用形態が多様化してきている。例えば、自宅のＨＤＤレコーダに録画した番組を携帯型端末にコピーすることで、コンテンツを宅外に持ち出して視聴することが可能になる。あるいは、携帯型端末のネットワーク機能を利用することで、インターネット上にあるコンテンツを、場所を選ばすに視聴するといったことも可能になる。
【０００３】
携帯型端末は、ユーザが手元で操作することが多いため、端末の筺体に操作用のボタンを備えたもののほか、ＧＵＩの表示とともにタッチパネルにより入力する方法を備えたものもある。タッチパネル方式は、アプリケーションに応じて表示されるボタンが切り替わるため、不必要なボタンが表示されないことによりユーザの操作性が向上するなど、使い勝手の面でメリットがある。
【０００４】
また、クレイドルと呼ばれる設置台に接続する形態の携帯型端末も存在する。クレイドルへの接続は、一般的には端末の充電やコンテンツの転送などが目的で行われる。また、視聴に適した形状のクレイドルに設置することで、端末装置をコンテンツのビューワとして視聴に利用するといった使い方もある。あるいは、スピーカを備えたクレイドルに設置することで、端末装置に保存された音楽を聴くといった使い方もある。
【０００５】
一般的に、クレイドルとの接続時には、携帯型端末の筺体の一部はクレイドルと接することになる。このとき、クレイドルの形状によっては、クレイドルが操作用のボタン部分を覆ってしまうなど、ユーザが端末の操作を行いにくくなる場合がある。特許文献１では、端末の筺体の全面と背面に２つのタッチパネルを有し、クレイドルとの接続状況に応じて、前面および背面のいずれのタッチパネルを有効にするかを切り替えることにより、使い勝手を向上させる方法が提案されている。
【先行技術文献】
【特許文献】
【０００６】
【特許文献１】特開２００６−１５７４３４号公報
【発明の概要】
【発明が解決しようとする課題】
【０００７】
しかしながら、上述の従来技術は、前面もしくは背面のいずれのタッチパネルを全面的に無効化する方式であるため、タッチパネルの一部がクレイドルに覆われるような形状のクレイドルおよび携帯型端末では、端末を操作するためにはクレイドルから離脱して操作する必要があり、使い勝手が改善されないという課題がある。また、そのような場合、クレイドルとの接続によりユーザが接触することのできなくなった範囲のタッチ操作が行われることはないため、タッチパネル部への電源供給は不必要となる。さらに、端末がリモコンによる入力を備えている場合であれば、クレイドル接続時は、端末は操作端末ではなく視聴端末として使用されるため、画面にタッチパネル用のボタン等を表示すること自体が不要になると考えられる。つまり、このような場合、タッチパネル用のボタンの表示やタッチパネル部への給電が不必要な電力を消費するだけでなく、不必要な情報を提示することによりユーザの使い勝手を損ねてしまうという課題があった。
【０００８】
本発明は、以上のような問題点を鑑みてなされたものであり、その目的とするところは、端末の使用状況に応じてＧＵＩの表示内容を切り替えることにより、消費電力を抑制するとともに、ユーザの使い勝手を向上させる表示端末装置を提供することである。
【課題を解決するための手段】
【０００９】
上記課題を解決するために、本発明の表示端末装置は、ＧＵＩを表示する表示端末装置であって、前記表示端末装置の操作用ＧＵＩを変更する変更部と、前記表示端末装置の電力モードを設定する設定部と、を備え、前記設定部は、第１の電力で駆動する通常モードとこの第１の電力よりも小さい第２の電力で駆動する省電力モードのうち一方のモードを設定し、前記変更部は、前記設定部が設定する電力モードに応じて、前記操作用ＧＵＩを変更する。
【００１０】
さらに好ましくは、前記表示装置はさらに、使用者からタッチ操作を受け付けるとともに前記操作用ＧＵＩを表示するタッチパネル部と、を備え、前記タッチパネル部は、前記設定部が省電力モードを設定している場合、当該タッチパネルの少なくとも一部の領域を、使用者からタッチ操作が受け付けることができない領域とし、前記変更部は、前記タッチパネル部の一部の領域内に、操作用ＧＵＩに含まれるタッチ操作が可能なオブジェクトが配置されないように操作用ＧＵＩを変更する。
【００１１】
さらに好ましくは、前記変更部は、前記タッチパネル部の一部の領域内に、操作用ＧＵＩに含まれるタッチ操作が可能なオブジェクト以外のオブジェクトが変更前に比べて多く配置されるように操作用ＧＵＩを変更する。
【００１２】
さらに好ましくは、前記変更部は、前記タッチパネル部の一部の領域内に、操作用ＧＵＩに含まれるタッチ操作が可能なオブジェクト以外のオブジェクトが変更前に比べて多く配置されるように操作用ＧＵＩを変更する。
【００１３】
さらに好ましくは、前記変更部は、変更前に前記タッチパネル部の一部の領域外に配置されるオブジェクトを拡大し、少なくとも当該タッチパネル部の一部の領域を用いて拡大後のオブジェクトを配置するよう操作用ＧＵＩを変更する。
【００１４】
さらに好ましくは、前記変更部は、変更前に前記タッチパネル部の一部の領域外に配置されるオブジェクトを拡大し、少なくとも当該タッチパネル部の一部の領域を用いて拡大後のオブジェクトを配置するよう操作用ＧＵＩを変更する。
【００１５】
さらに好ましくは、前記変換部は、拡大したオブジェクト内に属する文字および画像のうち少なくとも一方をオブジェクトの拡大に合わせて拡大する。
【００１６】
さらに好ましくは、前記変換部は、拡大したオブジェクト内に属する文字および画像のうち少なくとも一方の数をオブジェクトの拡大に合わせて増大させる。
【００１７】
さらに好ましくは、前記表示端末装置は、クレイドルへの接続を検出する検出部を備え、前記設定部は、前記クレイドルの接続を検出した場合、省電力モードを設定する。
【００１８】
さらに好ましくは、前記表示端末装置は、クレイドルへの接続を検出する検出部を備え、前記設定部は、前記クレイドルの接続を検出した場合、省電力モードを設定し、前記タッチパネル部は、前記クレイドルとの接続の結果、当該タッチパネル部の全領域のうち使用者から視認不可能な領域を使用者からタッチ操作が受け付けることができない領域とする。
【００１９】
さらに好ましくは、前記設定部は、前記タッチパネル部へのタッチ操作が所定の時間なされなかったこともって、省電力モードへと移行する。
【００２０】
上述のように構成することにより、不必要なタッチパネル部への給電を停止することで端末の消費電力を抑制することができる。さらに、不必要なタッチパネル用のボタンの表示を無効化することでユーザの誤操作を防ぐだけでなく、文字や画像を拡大表示することによる視認性向上、表示個数を増加させることによる操作性向上など、空いたスペースを有効活用することで使い勝手のよいＧＵＩを提供することができる。
【発明の効果】
【００２１】
本発明によれば、ＧＵＩを備えた表示端末装置において、端末の消費電力を抑制するとともに、ユーザの使い勝手を向上させることができる。
【図面の簡単な説明】
【００２２】
【図１】本実施の形態１における表示端末装置のブロック構成を示した図
【図２】本実施の形態１における表示端末装置１００の通常モードでの外観および表示画面の一例を示した図
【図３】本実施の形態１における表示端末装置１００の省電力モードでの外観および表示画面の一例を示した図
【図４】本実施の形態１におけるＧＵＩ情報変換部１０２でのＧＵＩ情報変換処理の手順をフローチャート
【図５】本実施の形態１における制御部１０５での電源制御処理の手順をフローチャート
【図６】本実施の形態１におけるＧＵＩ情報変換処理の詳細をフローチャート
【図７】本実施の形態２における表示端末装置１００の通常モードでの外観および表示画面の一例を示した図
【図８】本実施の形態２における表示端末装置１００の省電力モードでの外観および表示画面の一例を示した図
【図９】本実施の形態２における表示端末装置１００の通常モードでの外観および表示画面の一例を示した図
【図１０】本実施の形態２における表示端末装置１００の省電力モードでの外観および表示画面の一例を示した図
【図１１】本実施の形態２におけるＧＵＩ情報変換処理の詳細をフローチャート
【発明を実施するための形態】
【００２３】
以下に、本発明を実施するための最良の形態を、図面を参照して説明する。
【００２４】
（実施の形態１）
まず、本実施の形態１における表示端末装置の構成について、図１を用いて説明する。
【００２５】
図１は、本実施の形態１における表示端末装置のブロック構成を示した図である。
【００２６】
表示端末装置１００は、表示部１０１、ＧＵＩ情報変換部１０２、ＧＵＩ情報格納部１０３、タッチパネル部１０４、制御部１０５、電力モード管理部１０６、接続検出部１０７を備える。また、表示端末装置１００はクレイドル２００と着脱可能になっている。
【００２７】
なお、本発明における変更部は、ＧＵＩ変換部１０２、ＧＵＩ情報格納部１０３および制御部１０５が有する機能に該当する。また、本発明における設定部は電力モード管理部１０６および制御部１０５が有する機能に該当する。さらに、本発明におけるタッチパネル部は、タッチパネル部１０４が有する機能に該当する。
【００２８】
表示部１０１は、文字や画像を表示する機能を備えたディスプレイである。
【００２９】
ＧＵＩ情報変換部１０２は、ＧＵＩ情報格納部１０３に格納されたＧＵＩ情報を変換する機能を備える。ＧＵＩの変換としては、画像データや文字フォントの表示数、表示サイズを変更したり、表示するボタンや画像の内容を変更したり、画面の構成・パーツの配置を全体的に変更したりするようなあらゆる変換を行うものとする。
【００３０】
ＧＵＩ情報格納部１０３は、表示部１０１に表示するＧＵＩを生成するための情報を格納するメモリ等である。ＧＵＩ情報格納部１０３には、画像データや文字フォントのように表示画面を構成するデータのほか、画面構成・配置を決定するマークアップ言語やスクリプト等の情報が含まれる。表示部１０１では、ＧＵＩ情報格納部１０３から取得したＧＵＩ情報、もしくは、ＧＵＩ情報変換部１０２を介して変換されたＧＵＩ情報を解析してＧＵＩを構成し、画面として表示する。
【００３１】
タッチパネル部１０４は、ユーザからのタッチ操作を受け付けるパネルである。ここでは簡単のため、表示部１０１とタッチパネル部１０４は物理的には同一の媒体であるものとする。表示部１０１には、タッチパネル用のボタンなど、ユーザからのタッチ操作を補助する目的の画像や文字も表示される。
【００３２】
制御部１０５は、タッチパネル部１０４の入出力制御や電源制御、表示部１０１への表示制御などを行う機能を備える。
【００３３】
電力モード管理部１０６は、表示端末装置の電力モードを管理する機能を備える。ここでは電力モードとして、通常モードと省電力モードの２種類を区別して管理するものとする。なお、電力モードはあくまで一例であり、これに限定するものではない。
【００３４】
接続検出部１０７は、クレイドルとの接続を検出する機能を備える。ここではクレイドル２００は充電機能を備えるものとし、接続検出部１０７は、クレイドル２００からの電源供給を検出することにより、クレイドルとの接続を検出するものとする。なお、接続検出部１０７における接続検出方法はこれに限定しない。例えば、物理的なスイッチ機構を設け、クレイドル２００と接続すると自動的に押下されるような形状とすることで接続を検出するなどの方法により、接続を検出してもよい。
【００３５】
電力モード管理部１０６は、接続検出部１０７で検出した情報に基づいて電力モードを決定する。ここでは、クレイドルと接続している状態を省電力モード、接続していない状態を通常モードと判定するものとする。
【００３６】
ＧＵＩ情報変換部１０２、制御部１０５、および電力モード管理部１０６は、表示端末装置１００内のＣＰＵにおいて実行されるプログラムとして実現されるものとする。
【００３７】
次に、本実施の形態１における表示端末装置１００の外観および表示画面について、図２および図３を用いて説明する。
【００３８】
図２は、本実施の形態１における表示端末装置１００の通常モードでの外観および表示画面の一例を示した図である。
【００３９】
表示端末装置１００は、図２に示すような形状で、前面に表示部１０１を備えている。ここでは一例として、表示端末装置１００に内蔵された半導体メモリ（図示せず）に格納している映像コンテンツを視聴している状態の画面を表示しているものとする。表示するＧＵＩは、ＧＵＩ情報格納部１０３に格納しているＧＵＩ情報から構成される。なお、表示端末装置１００はクレイドル２００と接続していないため、ここでの電力モードは通常モードとなっている。
【００４０】
表示部１０１には、再生画面表示部１１、操作ボタン表示部１２、１３、１４、１５、進捗バー表示部１６、コンテンツ一覧表示部１７を含むＧＵＩが表示される。
【００４１】
再生画面表示部１１には、再生中のコンテンツの映像が表示される。
【００４２】
操作ボタン表示部１２、１３、１４、１５には、ユーザからのタッチ操作によりコンテンツの再生操作を受け付けるボタンが表示される。操作ボタン表示部１２、１３、１４、１５は、それぞれ早戻し、再生開始、再生停止、早送りの操作を示すボタンが表示されている。これらのボタンをユーザがタッチすると、各ボタンに対応した再生操作が実行される。
【００４３】
進捗バー表示部１６には、コンテンツ全体の中で現在どの時点の場面を再生しているかを示す進捗バーが表示される。また、ユーザが進捗バーにタッチすることにより、現在の位置からタッチして指定された位置まで再生位置を移動することもできる。
【００４４】
コンテンツ一覧表示部１７には、表示端末装置１００に格納されているコンテンツがリストで表示されている。また、現在再生中のコンテンツについては、リスト中のタイトルの部分の色が変化して表示されるものとする。さらに、ユーザがコンテンツ一覧にタッチすることにより、現在再生中のコンテンツを停止して、タッチにより指定されたコンテンツの再生を開始することもできる。
【００４５】
図３は、本実施の形態１における表示端末装置１００の省電力モードでの外観および表示画面の一例を示した図である。
【００４６】
表示端末装置１００は、図３に示すような状態で、クレイドル２００（Ａ）と接続している。つまり、ここでの電力モードは省電力モードとなっている。
【００４７】
省電力モードの場合、不必要なＧＵＩオブジェクトを表示しないようにＧＵＩの構成を変更する。ここでは、不必要なオブジェクトとして、操作ボタン表示部１２、１３、１４、１５、進捗バー表示部１６、および、コンテンツ一覧表示部１７を削除し、再生画面表示部１１のみを表示するようにＧＵＩの構成を変更している。
【００４８】
操作ボタン表示部１２、１３、１４、１５、および、進捗バー表示部１６については、クレイドル２００との接続によりユーザが視認およびタッチ操作を行うことができなくなるため、オブジェクトの表示を無効化している。また、コンテンツ一覧表示部１７については、タッチパネル用のボタンであるため、表示を無効化している。
【００４９】
このように、電力モードに応じてＧＵＩを変更することにより、ユーザの使用状況に応じた適切なＧＵＩを提供することを実現している。
【００５０】
次に、本実施の形態１におけるＧＵＩ情報変換処理の手順について、図４を用いて説明する。
【００５１】
図４は、本実施の形態１におけるＧＵＩ情報変換部１０２でのＧＵＩ情報変換処理の手順をフローチャートで示したものである。
【００５２】
まず、ＧＵＩ情報変換部１０２は、表示部１０１に表示するＧＵＩを構成するためのＧＵＩ情報をＧＵＩ情報格納部１０３から取得する（Ｓ１）。さらに、電力モード管理部１０６から現在の電力モード情報を取得する（Ｓ２）。ここで、現在の電力モードが省電力モードであるか否かを判定する（Ｓ３）。
【００５３】
現在の電力モードが省電力モードでない場合（すなわち、表示端末装置１００がクレイドル２００と接続していない場合）、ユーザが表示端末装置１００を操作している通常の状態にあると判断できるため、ＧＵＩ情報格納部１０３から取得したＧＵＩ情報をそのまま表示部１０１に出力する（Ｓ５）。表示部１０１では、ＧＵＩ情報格納部１０３に格納されたＧＵＩ情報に基づいたＧＵＩを構成し、表示する。
【００５４】
一方、現在の電力モードが省電力モードである場合（すなわち、表示端末装置１００がクレイドル２００と接続している場合）、消費電力を抑制するためにＧＵＩ情報を変換する（Ｓ４）。具体的には、図３の例で示したように、ＧＵＩにタッチパネル用のボタン類を表示しないように変更する。ＧＵＩ情報の変換の詳細については後述する。変換したＧＵＩ情報を表示部１０１へ出力する（Ｓ５）ことにより、変換後のＧＵＩがディスプレイに表示される。
【００５５】
次に、本実施の形態１における電源制御処理の手順について、図５を用いて説明する。
【００５６】
図５は、本実施の形態１における制御部１０５での電源制御処理の手順をフローチャートで示したものである。
【００５７】
制御部１０５は、ＧＵＩ情報を変換する処理と並行して、タッチパネル部１０４への電源供給の制御を行う。まず、電力モード管理部１０６から現在の電力モード情報を取得し（Ｓ６）、現在の電力モードが省電力モードであるか否かを判定する（Ｓ７）。
【００５８】
現在の電力モードが省電力モードでない場合、ユーザが表示端末装置１００を操作している通常の状態にあると判断できるため、タッチパネル機能を有効化するために、タッチパネル部１０４への給電を開始する（Ｓ９）。
【００５９】
一方、現在の電力モードが省電力モードである場合、消費電力を抑制するために、タッチパネル部１０４への給電を停止する（Ｓ８）。これにより、タッチパネル部１０４からのタッチ操作入力を受け付けない状態にする。
【００６０】
つまり、表示部１０１に表示するＧＵＩとタッチパネル部１０４への給電が連動し、省電力モードの場合にはタッチパネル用のボタン類の表示とタッチパネルからの入力受付を同時に無効化することにより、不必要な電力の消費を抑制している。
【００６１】
次に、本実施の形態１におけるＧＵＩ情報変換処理の詳細について、図６を用いて説明する。
【００６２】
図６は、本実施の形態１におけるＧＵＩ情報変換処理の詳細をフローチャートで示したものである。このＧＵＩ情報変換処理は、図４のＳ４に相当する。
【００６３】
ＧＵＩ情報変換部１０２は、取得したＧＵＩ情報をもとにＧＵＩを構成した場合に、クレイドル２００が表示部１０１を覆うことにより視認できなる部分が存在するか否かを判定する（Ｓ１０）。これは、クレイドル２００がタッチパネル部１０４を覆うことによりタッチ操作ができなくなる部分が存在するか否かを判断することと、一般的には同一である。
【００６４】
クレイドル２００との接続により覆われる範囲が存在する場合（Ｓ１０においてＹＥＳ）、該当のオブジェクトを削除する（Ｓ１１）。これは、具体的に図２の表示画面でいうと、操作ボタン表示部１２、１３、１４、１５、および、進捗バー表示部１６に該当する。これらの部分は、クレイドル２００と接続することにより、外部からの視認およびタッチ操作ができなくなる。そのため、クレイドルに接続したタイミングで、これらの部分を表示しないようにＧＵＩを変更する。
【００６５】
次に、ＧＵＩ情報変換部１０２は、ＧＵＩ情報をもとにＧＵＩを構成した場合に、タッチパネル用のオブジェクトが存在するか否かを判定する（Ｓ１２）。タッチパネル用のオブジェクトが存在する場合（Ｓ１２においてＹＥＳ）、該当のオブジェクトを削除する（Ｓ１３）。これは、具体的に図２の表示画面でいうと、コンテンツ一覧表示部１７に該当する。
【００６６】
これは、クレイドルと接続することにより、ユーザはタッチパネル操作を行うことがなくなったものと判定し、タッチパネル用の表示を無効化している。また、前述のように、同時にタッチパネル部への給電を停止することにより待機電力の抑制を図っている。
【００６７】
以上のように、クレイドルとの接続状況に応じて不必要なオブジェクトを表示しないようにＧＵＩ情報を変換する処理を行うことで、ユーザの使用状況に応じた適切なＧＵＩを提供することを実現している。
【００６８】
なお、本実施の形態において、省電力モードの場合にタッチパネル用のオブジェクトをすべて削除するものとしたが、必ずしもすべてのオブジェクトを削除する必要はない。例えば、図２におけるコンテンツ一覧表示部１７については、タッチパネル用のボタンであると同時に、他のコンテンツや現在再生中のコンテンツの内容に関する情報を提供しているため、削除せずに表示したままにしてもよい。
【００６９】
また、本実施の形態において、クレイドル２００に覆われる部分のオブジェクトを無効化するものとしたが、例えば、オブジェクトの一部がクレイドル２００に隠れているような場合には、該当のオブジェクトの表示を無効化してもよいし、無効化しなくてもよい。あるいは、クレイドル２００に覆われる部分のオブジェクトを、ユーザから視認できる位置に移動するようにしてもよい。
【００７０】
また、本実施の形態において、電力モードの判定方法はクレイドルとの接続検出をもって判定するものとしたが、判定方法はこれに限定しない。例えば、ユーザからのタッチ操作が一定時間行われない場合（つまり、タッチパネル部１０４からの入力が一定時間ない場合）に、電力モードを省電力モードに移行させる方法であってもよい。あるいは、電力モードを切り替えるための専用のボタンを端末装置の筺体に設けるなどしてもよい。あるいは、端末装置がリモコンによる入力手段を備え、リモコンによる操作が行われたことをもって電力モードを切り替えるなどしてもよい。
【００７１】
また、本実施の形態において、簡単のため、省電力モードの場合にタッチパネル部への給電は全面的に停止するものとしたが、タッチパネル部の一部分のみへの給電を停止する形式でも構わない。例えば、図２、図３の例であれば、クレイドル２００と接続した状態でもタッチ操作が可能なコンテンツ一覧表示部１７に対しては、省電力モードであってもタッチパネル部への給電を継続するなどしてもよい。
【００７２】
（実施の形態２）
次に、本実施の形態２における表示端末装置１００の外観および表示画面について、図７、図８、図９、および図１０を用いて説明する。
【００７３】
なお、本実施の形態２における表示端末装置の構成、ＧＵＩ情報変換処理の手順、電源制御処理の手順については実施の形態１と同じであり、それぞれ図１、図４、図５に示すとおりとなっている。
【００７４】
図７は、本実施の形態２における表示端末装置１００の通常モードでの外観および表示画面の一例を示した図である。
【００７５】
ここでは一例として、表示端末装置１００に内蔵された半導体メモリ（図示せず）に格納している映像コンテンツのリストを表示している状態の画面を表示しているものとする。表示するＧＵＩは、ＧＵＩ情報格納部１０３に格納しているＧＵＩ情報から構成される。なお、表示端末装置１００はクレイドル２００と接続していないため、ここでの電力モードは通常モードとなっている。
【００７６】
表示端末装置１００の表示部１０１には、コンテンツ一覧表示部１８、操作ボタン表示部１９、２０が表示される。
【００７７】
コンテンツ一覧表示部１８には、表示端末装置１００に格納されているコンテンツがリストで表示されている。各々のコンテンツに関する情報としては、コンテンツのタイトル名、番組内容、出演者、録画日時、録画時間、放送チャンネル等に関する情報が文字フォントで記載されているとともに、番組のサムネイル画像が表示されているものとする。また、一画面には最大４つのコンテンツ情報が表示されるものとする。
【００７８】
ユーザは、コンテンツ一覧表示部１８にタッチすることにより、特定のコンテンツを選択することができる。選択したコンテンツは、図７に示すように、背景色が変更されたりサムネイル画像が拡大して表示されたりするものとする。選択中のコンテンツにさらにもう一度タッチすると、該コンテンツの再生を開始するものとする。
【００７９】
操作ボタン表示部１９、２０には、コンテンツ一覧表示部１８に表示するコンテンツをスクロールするためのボタンが表示される。これは、表示端末装置１００が保持しているコンテンツの数が多くすべてのコンテンツの情報が一画面で表示しきれないような場合に、このボタンにタッチして画面に表示するコンテンツを変更する目的で使われる。
【００８０】
図８は、本実施の形態２における表示端末装置１００の省電力モードでの外観および表示画面の一例を示した図である。
【００８１】
表示端末装置１００は、図８に示すような状態で、クレイドル２００（Ｂ）と接続している。つまり、ここでの電力モードは省電力モードとなっている。
【００８２】
省電力モードの場合、不必要なＧＵＩオブジェクトを表示しないようにＧＵＩの構成を変更する。ここでは、不必要なオブジェクトとして、操作ボタン表示部１９、２０を削除し、コンテンツ一覧表示部１８のみを表示するようにＧＵＩの構成を変更している。
【００８３】
操作ボタン表示部１９、２０については、タッチパネル用のボタンであるため、表示を無効化している。また、コンテンツ一覧表示部１８は、通常モードの場合に比べて、表示するコンテンツの数を４から６へ増加させている。これは、操作ボタン表示部１９、２０の表示を無効化することにより生じたスペースを活用して個数を増加して表示するようにしている。これにより、ユーザは一画面で確認できるコンテンツの数が増加するようになり、目的のコンテンツを発見しやすくなるなど、コンテンツ選択の利便性が向上する。
【００８４】
このように、電力モードに応じてＧＵＩを変更することにより、ユーザの使用状況に応じた適切なＧＵＩを提供することを実現している。
【００８５】
図９は、本実施の形態２における表示端末装置１００の通常モードでの外観および表示画面の一例を示した図である。
【００８６】
ここでは一例として、表示端末装置１００に内蔵された半導体メモリ（図示せず）に格納している映像コンテンツを視聴している状態の画面を表示しているものとする。表示するＧＵＩは、ＧＵＩ情報格納部１０３に格納しているＧＵＩ情報から構成される。なお、表示端末装置１００はクレイドル２００と接続していないため、ここでの電力モードは通常モードとなっている。
【００８７】
表示部１０１には、再生画面表示部１１、操作ボタン表示部１２、１３、１４、１５、番組情報表示部２１を含むＧＵＩが表示される。
【００８８】
再生画面表示部１１、および、操作ボタン表示部１２、１３、１４、１５については、実施の形態１と同じであるため、説明を省略する。
【００８９】
番組情報表示部２１には、現在再生中のコンテンツに関する情報が表示される。具体的には、コンテンツのタイトル名、番組内容、出演者、録画日時、録画時間、放送チャンネル等に関する情報が文字フォントで記載されているものとする。
【００９０】
図１０は、本実施の形態２における表示端末装置１００の省電力モードでの外観および表示画面の一例を示した図である。
【００９１】
表示端末装置１００は、図１０に示すような状態で、クレイドル２００（Ｂ）と接続している。つまり、ここでの電力モードは省電力モードとなっている。
【００９２】
省電力モードの場合、不必要なＧＵＩオブジェクトを表示しないようにＧＵＩの構成を変更する。ここでは、不必要なオブジェクトとして、操作ボタン表示部１２、１３、１４、１５を削除する。また、再生画面表示部１１と番組情報表示部２１を拡大して表示し、さらに新たにリモコン操作情報表示部２２を表示するようにＧＵＩの構成を変更する。
【００９３】
操作ボタン表示部１２、１３、１４、１５については、タッチパネル用のボタンであるため、クレイドル２００との接続によりユーザがタッチ操作を行う必要性がなくなったものと判断し、表示を無効化する。
【００９４】
再生画面表示部１１と番組情報表示部２１は、通常モードの場合に比べて、各々表示するサイズを拡大している。これは、操作ボタン表示部１２、１３、１４、１５の表示を無効化することにより生じたスペースを活用して、既存のオブジェクトを拡大表示するようにしている。これにより、ユーザが離れた場所から番組を視聴するような場合でも、映像や文字を見やすくすることができる。
【００９５】
また、新たにリモコン操作情報表示部２２の表示を追加している。これは、リモコンのように遠隔操作で表示端末装置１００を操作する場合を想定して、ユーザにリモコン操作の方法を説明する目的で、操作方法に関する情報を提示している。
【００９６】
このように、電力モードに応じてＧＵＩを変更することにより、ユーザの使用状況に応じた適切なＧＵＩを提供することを実現している。
【００９７】
次に、本実施の形態２におけるＧＵＩ情報変換処理の詳細について、図１１を用いて説明する。
【００９８】
図１１は、本実施の形態２におけるＧＵＩ情報変換処理の詳細をフローチャートで示したものである。このＧＵＩ情報変換処理は、図４のＳ４に相当する。
【００９９】
ＧＵＩ情報変換部１０２は、取得したＧＵＩ情報をもとにＧＵＩを構成した場合に、タッチパネル用のオブジェクトが存在するか否かを判定する（Ｓ１４）。タッチパネル用のオブジェクトが存在する場合（Ｓ１４においてＹＥＳ）、該当のオブジェクトを削除する（Ｓ１５）。これは、具体的に図７の表示画面でいうと、操作ボタン表示部１９、２０、図９の表示画面でいうと、操作ボタン表示部１２、１３、１４、１５に該当する。
【０１００】
これは、クレイドルと接続することにより、ユーザはタッチパネル操作を行うことがなくなったものと判定し、タッチパネル用の表示を無効化している。また、同時にタッチパネル部への給電を停止することにより待機電力の抑制を図っている。
【０１０１】
次に、Ｓ１５においてオブジェクトを削除したことにより生じたスペースを利用して、既存のオブジェクトを拡大表示することが可能であるか否かを判定する（Ｓ１６）。既存オブジェクトの拡大が可能である場合（Ｓ１６においてＹＥＳ）、該当オブジェクトを拡大し（Ｓ１７）、さらにその中に含まれる文字および画像を拡大して表示する。
【０１０２】
該当のオブジェクトが文字を含む場合（Ｓ１８においてＹＥＳ）、文字のサイズを拡大して表示する（Ｓ１９）。これにより、ユーザの視認性を向上させることができる。これは、具体的に図９、図１０の表示画面でいうと、番組情報表示部２１のサイズを拡大し、さらにそこに表示する文字のサイズを拡大したことに該当する。あるいは、画面に表示する文字数を増やす。これにより、ユーザに対して提供する情報量を増やすことできる。
【０１０３】
該当のオブジェクトが画像を含む場合（Ｓ２０においてＹＥＳ）、画像のサイズを拡大して表示する（Ｓ２１）。これにより、ユーザの視認性を向上させることができる。これは、図９、図１０の表示画面でいうと、再生画面表示部１１を拡大したことに該当する。あるいは、画面に表示する画像数を増やす。これにより、ユーザに対して提供する情報量を増やすことできる。これは、具体的に図７、図８の表示画面でいうと、コンテンツ一覧表示部１８に含まれるコンテンツ情報およびサムネイル画像の数を増加したことに該当する。
【０１０４】
最後に、新規に描画すべきオブジェクトが存在するか、および、ＧＵＩ上に描画できるスペースが存在するか否かを判定する（Ｓ２２）。新規オブジェクトを描画可能な場合、空いているスペースを利用して新規にオブジェクトを描画する（Ｓ２３）。これは、具体的に図９、図１０の表示画面でいうと、リモコン操作情報表示部２２にリモコン操作のための情報を表示したことに該当する。
【０１０５】
これは、クレイドルと接続することにより、ユーザはタッチパネル操作からリモコン操作に切り替えたものと判定し、タッチパネル用の表示を無効化するとともに、リモコン操作用の補助情報を表示するようにしている。また、前述のように、同時にタッチパネル部への給電を停止することにより待機電力の抑制を図っている。
【０１０６】
以上のように、クレイドルとの接続状況に応じて不必要なオブジェクトの表示を無効化するとともに、必要な情報を表示するようにＧＵＩ情報を変換する処理を行うことで、ユーザの使用状況に応じた適切なＧＵＩを提供することを実現している。
【０１０７】
なお、本実施の形態におけるＧＵＩの変更方法はあくまで一例であり、ＧＵＩの変更方法を限定するものではない。
【０１０８】
なお、本実施の形態において、表示部１０１とタッチパネル部１０４は物理的に同一の媒体であるものとしたが、表示部１０１とタッチパネル部１０４は別々の媒体であってもよい。例えば、表示部１０１とは別に、筺体に操作入力用のボタンを備えた形状の表示端末装置であってもよい。あるいはリモコンやマウスのように外部からユーザ入力を受け付ける表示端末装置であってもよい。
【０１０９】
なお、本実施の形態において、ＧＵＩには表示端末装置１００内の半導体メモリに格納されているコンテンツに関する情報を表示するものとしたが、コンテンツはこれに限定しない。例えば、ネットワークで接続された別の機器に格納されたコンテンツであってもよい。
【０１１０】
また、本実施の形態における表示端末装置が表示するＧＵＩとして、コンテンツ一覧画面およびコンテンツ再生画面はあくまで一例であり、表示するＧＵＩはこれに限定しない。例えば電子番組表（ＥＰＧ）を表示する場合であれば、電力モードに応じて画面に表示するチャンネル数や時間、文字数、文字サイズを変更するといった適用方法も考えられる。
【０１１１】
また、本実施の形態において、ＧＵＩ情報はＧＵＩ情報格納部１０３に格納されているものとしたが、ＧＵＩ情報は表示端末装置１００内で保持されるものに限定しない。例えば、ネットワークを介してサーバなど他の機器から取得したＧＵＩ情報を利用する形態でも構わない。
【産業上の利用可能性】
【０１１２】
本発明の表示端末装置は、タッチパネルを備えたポータブル端末、携帯電話、ＰＣ等において有用である。
【符号の説明】
【０１１３】
１１  再生画面表示部
１２  操作ボタン表示部
１３  操作ボタン表示部
１４  操作ボタン表示部
１５  操作ボタン表示部
１６  進捗バー表示部
１７  コンテンツ一覧表示部
１８  コンテンツ一覧表示部
１９  操作ボタン表示部
２０  操作ボタン表示部
２１  番組情報表示部
２２  リモコン操作情報表示部
１００  表示端末装置
１０１  表示部
１０２  ＧＵＩ情報変換部
１０３  ＧＵＩ情報格納部
１０４  タッチパネル部
１０５  制御部
１０６  電力モード管理部
１０７  接続検出部
２００  クレイドル
【図１】
2012049586.tif 000003
【図２】
2012049586.tif 000004
【図３】
2012049586.tif 000005
【図４】
2012049586.tif 000006
【図５】
2012049586.tif 000007
【図６】
2012049586.tif 000008
【図７】
2012049586.tif 000009
【図８】
2012049586.tif 000010
【図９】
2012049586.tif 000011
【図１０】
2012049586.tif 000012
【図１１】
2012049586.tif 000013